(57)【要約】【課題】火災受信機に接続された端末機器の操作を行う際の作業効率を向上させる。【解決手段】作業者が所定の機能選択スイッチ２１Ａ〜２１Ｈを選択したとき、データ抽出部４において選択された機能に関連づけされた種別ＫＩに一致する端末機器が端末データベースＤＢから抽出される。その後、表示制御部５により抽出した端末機器のアドレスＡＤと種別ＫＩとを表示した複数の端末機器制御スイッチ３１が、端末データベースＤＢに記憶された端末機器に関する情報を表示する表示部２に一覧表示される。【選択図】図５Ａ
2014016678.tif 000002
【特許請求の範囲】
【請求項１】
複数の端末機器が信号線を介して接続された火災受信機であって、
前記端末機器の種別と前記各端末機器に対しそれぞれ割り当てられたアドレスとが関連づけて記憶された端末データベースを有する記憶部と、
前記端末データベースに記憶された前記端末機器に関する情報を表示する表示部と、
前記火災受信機の複数の機能のうち１つの機能が選択されたときに、選択された前記火災受信機の機能に関連する種別の前記端末機器を前記端末データベースから抽出するデータ抽出部と、
前記データ抽出部により抽出された前記端末機器の前記アドレスと前記種別とを表記した複数の端末機器制御スイッチを前記表示部に一覧表示させる表示制御部と
を有することを特徴とする火災受信機。
【請求項２】
前記表示制御部が、動作確認済の前記端末機器制御スイッチと動作確認前の前記端末機器制御スイッチとを異なる態様で前記表示部に表示させるものであることを特徴とする請求項１記載の火災受信機。
【請求項３】
前記端末機器の状態を検出して前記記憶部に記憶する動作制御部をさらに備え、
前記表示制御部が、前記動作制御部において正常な状態であると検出された前記端末機器制御スイッチと、異常が発生していると検出された前記端末機器制御スイッチとを異なる態様で前記表示部に表示させるものであることを特徴とする請求項１または請求項２記載の火災受信機。
【請求項４】
前記端末データベースが、前記端末機器の設置場所を前記アドレスおよび前記種別に関連付けて記憶したものであり、
前記表示制御部が、前記設置場所を前記アドレスと前記種別とともに前記端末機器制御スイッチ上に表記させるものであることを特徴とする請求項１から３のいずれか１項記載の火災受信機。
【発明の詳細な説明】
【技術分野】
【０００１】
本発明は、複数の端末機器が信号線を介して接続された火災受信機に関するものである。
【背景技術】
【０００２】
従来、火災受信機等において端末機器を作動させる等の所定の項目の試験が行われる。この試験は予めプログラミングされ自動的に試験を行う場合の他に、作業者が各端末機器に割り当てられているアドレスを数字キーの操作により指定して端末機器を制御することにより手動で試験が行われる場合がある。さらに、上述した自動もしくは手動による試験結果がデータベースに記憶され、試験結果を画面上に表示することが知られている（たとえば特許文献１参照）。
【０００３】
ところで、上述した手動で試験を行う場合には、たとえば作業者は端末機器のアドレス等が記憶されたデータベースの内容を紙に印刷し、各機能モードで制御できる端末機器のアドレスを目視で割り出す。その後、作業者は試験を行う端末機器のアドレスを数字キーを用いた入力により指定して所定の項目の試験を行う。
【先行技術文献】
【特許文献】
【０００４】
【特許文献１】特開２００３−１９６７７２号公報
【発明の概要】
【発明が解決しようとする課題】
【０００５】
しかし、複数の端末機器を連続して制御する場合に、数字キーを何度も操作しなければならないため操作が煩雑であるという問題がある。さらに作業者等が数字キーの操作を間違えたとき、誤った端末機器の試験を行う、あるいは誤った端末機器を作動させてしまうという問題がある。
【０００６】
本発明は、上記のような課題を解決するためになされたもので、制御可能な端末機器を容易な操作で選択し操作することができる火災受信機を提供することを目的とするものである。
【課題を解決するための手段】
【０００７】
本発明に係る火災受信機は、複数の端末機器が信号線を介して接続された火災受信機であって、端末機器の種別と各端末機器に対しそれぞれ割り当てられたアドレスとが関連づけて記憶された端末データベースを有する記憶部と、端末データベースに記憶された端末機器に関する情報を表示する表示部と、火災受信機の複数の機能のうち１つの機能が選択されたときに、選択された火災受信機の機能に関連する種別の端末機器を端末データベースから抽出するデータ抽出部と、データ抽出部により抽出された端末機器のアドレスと種別とを表記した複数の端末機器制御スイッチを表示部に一覧表示させる表示制御部とを有するものである。
【発明の効果】
【０００８】
本発明の火災受信機によれば、各機能モードで制御可能な端末機器のアドレスと種別とを一覧表示することにより、作動させたい端末機器の正確なアドレスを把握していなくても前後のアドレスと端末機器名が表示されるため、作動させたい端末機器を見つけやすく操作性が向上するとともに、入力ミス等を低減することができる。
【図面の簡単な説明】
【０００９】
【図１】本発明の火災受信機の好ましい実施形態を示すシステム構成図である。
【図２】図１の火災受信機の一例を示す機能ブロック図である。
【図３】図１の記憶部に記憶された端末データベースのデータ構造の一例を示す模式図である。
【図４】図１の表示操作部に表示される機能選択ウィンドウの一例を示す模式図である。
【図５Ａ】図１の表示操作部に表示される端末機器一覧ウィンドウの一例を示す模式図である。
【図５Ｂ】図１の表示操作部に表示される端末機器一覧ウィンドウの一例を示す模式図である。
【図６】図１の表示操作部に表示される端末機器一覧ウィンドウの別の一例を示す模式図である。
【発明を実施するための形態】
【００１０】
以下、図面を参照しながら本発明の火災受信機の実施形態について説明する。図１は本発明の火災受信機の好ましい実施形態を示すシステム構成図である。火災受信機ＦＡは、火災感知器等の複数の端末機器が信号線ＳＧを介して接続されたものであって、火災受信機ＦＡと各端末機器とは、たとえばハイレベル電圧（Ｖ１Ｈ）とローレベル電圧（Ｖ１Ｌ）の組み合わせのパルス信号により通信を行う。また各端末機器にはそれぞれ固有のアドレスＡＤが割り当てられており、このアドレスＡＤによって火災受信機ＦＡは各端末機器を識別することができる。
【００１１】
火災受信機ＦＡに接続される端末機器としては、たとえば光電式アナログ感知器ＳＥ１１、熱アナログ感知器ＳＥ１２、アドレッサブル発信機ＳＥ１３等が挙げられる。光電式アナログ感知器ＳＥ１１は、煙感知器の一種であって、検出した煙のアナログ値を火災受信機ＦＡに送信する。熱アナログ感知器ＳＥ１２は、熱感知器の一種であって、検出した周囲温度のアナログ値を火災受信機ＦＡに送信する。アドレッサブル発信機ＳＥ１３は、いわゆる火災発信機であって、火災の発見者が手動操作する押しボタンを備え、押しボタンがオンされると火災信号を火災受信機ＦＡに送信する。
【００１２】
また、信号線ＳＧには端末機器である各種中継器を介して被制御装置が接続されている。図１においては、たとえば信号線ＳＧに地区ベル用中継器Ｂ１１が接続されており、地区ベル用中継器Ｂ１１には４つの地区ベルＢ１１１〜Ｂ１１４が接続されている。そして、各地区ベルＢ１１１〜Ｂ１１４は火災受信機ＦＡからの制御信号に従って火災を報知するための音を出力する。また、信号線ＳＧには防排煙制御用中継器Ｄ１１が接続されており、防排煙制御用中継器Ｄ１１には防排煙機器としての防火戸Ｄ１１１、排煙機Ｄ１１２、シャッタＤ１１３、及びたれ壁Ｄ１１４が接続されている。これら信号線ＳＧに接続された端末機器は、信号線ＳＧを介して火災受信機ＦＡと通信するとともに、信号線ＳＧを介して電源が供給されている。
【００１３】
火災受信機ＦＡは、各端末機器との間で、以下のポイントポーリング、セレクティング、システムポーリングの３種の方法により端末機器の状態情報が収集され、あるいは端末機器等が制御される。
（１−１）ポイントポーリング
火災受信機ＦＡは、複数接続されている端末機器の状態を収集するために、何台かを１つのグループとして端末機器に状態情報要求命令を送信する。一方、それぞれの端末機器は、状態情報要求命令に対して、自己のアドレスＡＤに応じてタイミングをはかり、状態情報を火災受信機ＦＡに通報する。火災受信機ＦＡは、このようなグループへの通信を繰り返し行い、全端末機器の状態情報を収集する。
【００１４】
（１−２）セレクティング
火災受信機ＦＡは、所望の端末機器に対応するアドレスＡＤを指定して所定の制御命令を送信し、当該端末機器を制御する、あるいは、所望の端末機器に状態情報等の要求命令を送信し、個々の端末機器から状態情報を収集する。アドレスＡＤを指定された端末機器は、制御命令に対して火災受信機ＦＡへ制御結果を通報し、あるいは要求された状態情報を通報する。
【００１５】
（１−３）システムポーリング
火災受信機ＦＡは、全ての端末機器に対して共通の制御命令を送信し、各端末機器を制御する。システムポーリングによる制御命令としては、たとえば火災復旧命令（火災信号を出力した感知器や中継器等を正常な監視状態に復旧させる命令）、地区音響停止命令（鳴動中の地区ベル用中継器Ｂ１１を停止させる命令）等がある。
【００１６】
（２）異常発生状態の情報の収集について
火災受信機ＦＡは、光電式アナログ感知器ＳＥ１１などの端末機器からポイントポーリングにより収集した状態情報に火災情報が含まれている場合には、記憶部３に格納されたデータベースに従い、火災情報を送信した端末機器に対応する防排煙制御用中継器Ｄ１１に対して、セレクティングにて制御信号を送信して被制御機器を作動させる。また、火災受信機ＦＡの記憶部３に格納されたデータベースに登録された端末機器に対してポイントポーリングで状態情報要求命令を送信したときに、その状態情報要求命令に対して応答しない端末機器が存在する場合、後述するように表示操作部２に無応答である旨の表示を行う。
【００１７】
図２は図１の火災受信機ＦＡの一例を示す機能ブロック図である。火災受信機ＦＡは、表示操作部２、記憶部３、データ抽出部４、表示制御部５を備えている。動作制御部１は火災受信機ＦＡの動作を制御するものであって、送受信部７を介して上述した各種ポーリングを各端末機器に対して行い、各端末機器の状態を収集するとともに、試験等の各種動作を行わせるものである。動作制御部１は各種ポーリングにより収集した各端末機器の状態を記憶部３に記憶する機能を有している。
【００１８】
なお、火災受信機ＦＡには複数（たとえば１〜１２系統）の送受信部７が設けられており、各送受信部７にはそれぞれ信号線ＳＧを介して複数の端末機器が接続されている。また、動作制御部１にはネットワーク接続部６を介して他の火災受信機ＦＡに接続されており、他の火災受信機ＦＡとの間でネットワークＮＷを介してデータ伝送可能になっている。さらに、火災受信機ＦＡには火災等を報知するためのＬＥＤ表示機やＬＣＤ表示機等からなる複数の表示機１０が接続されている。
【００１９】
表示操作部２はたとえばタッチパネルからなっており、各種情報を表示する表示部としての機能を有するとともに、作業者が画面に触れることにより所定のスイッチ（コマンドボタン）を選択できる操作部としての機能を有する。したがって、表示操作部２には所定の画面が表示されるとともに、作業者がパネルに触れることにより動作制御部１に所定の選択信号が出力されることになる。この表示操作部２の表示は表示制御部５により制御されている。
【００２０】
記憶部３には端末機器に関する各種データを格納した端末データベースＤＢが記憶されている。図３は記憶部３に記憶された端末データベースＤＢのデータ構造の一例を示す図である。なお、端末データベースＤＢは外部のデータベース作成装置１５によりデータの登録・更新が可能になっている。図３の端末データベースＤＢには火災受信機ＦＡに接続された各端末機器のアドレスＡＤと端末機器種別ＫＩ（以下、種別ＫＩと呼ぶことがある）とが関連づけて記憶されている。さらに詳しくは端末データベースには「系統」、「アドレス番号ＡＤ」、「端末機器の種別ＫＩ」、「通番」、「被制御装置の種別」、「設置場所ＳＰ」が格納されている。
【００２１】
「系統」は、複数の送受信部７のうちいずれの送受信部７に接続された端末機器であるかを示すものである。「アドレスＡＤ」は、火災受信機ＦＡが送受信部７から信号線ＳＧを介して各端末機器へ通信する際に、いずれの端末機器であるかを識別できるように各端末機器に付与された番号である。「端末機器の種別ＫＩ」は、信号線ＳＧを介して火災受信機ＦＡと直接通信を行うことのできる各端末機器の種類を意味する。なお、図３においては、端末機器の種別ＫＩは実際の名称で記憶されている場合について例示しているが、各種別に対応した種別コードを割り当て種別コードで端末機器を分類・管理するようにしてもよい。
【００２２】
「通番」は、１台の中継器に対して接続された複数の被制御装置のいずれを制御するかを特定するために、防排煙機器（が接続される各制御回線）に対応して付与された番号である。たとえば防排煙制御用中継器Ｄ１１に接続されている防火戸Ｄ１１１、排煙機Ｄ１１２、シャッタＤ１１３、およびたれ壁Ｄ１１４のそれぞれについて１〜４の通番が割り付けられている。「被制御装置の種別」は、複数の被制御装置の種別を特定する種別条件に相当し、たとえば防火戸、排煙機、シャッタ、たれ壁等の種別を意味している。「設置場所ＳＰ」は端末機器が設置されている場所を示す情報であって、たとえば「１階フロアＡ」、「１階フロアＢ」、「１階廊下」等を示すものである。
【００２３】
図２のデータ抽出部４は、火災受信機ＦＡの複数の機能のうち１つの機能が選択されたときに、選択された火災受信機ＦＡの機能に関連する種別ＫＩの端末機器を端末データベースＤＢから抽出するものである。表示制御部５は、データ抽出部４により抽出されたアドレスＡＤ、種別ＫＩを後述する端末機器制御スイッチ３１として表示するものである。以下、図４〜図７に示す表示操作部２に表示される画面を参照しながら、データ抽出部４および表示制御部５の動作について説明する。
【００２４】
まず、表示制御部５は表示操作部２に火災受信機ＦＡの機能を選択するための機能選択ウィンドウ２０を表示する。図４は図２の表示操作部２に表示される機能選択ウィンドウの一例を示す模式図である。機能選択ウィンドウ２０には複数の機能選択スイッチ２１Ａ〜２１Ｈが一覧表示され、作業者は機能選択スイッチ２１Ａ〜２１Ｈのうちいずれか一つの機能を選択することができる。火災受信機ＦＡの機能としては、例えば、火災試験や端末制御等の機能がある。「火災試験」機能は、火災受信機ＦＡから光電式アナログ感知器ＳＥ１１や熱アナログ感知器ＳＥ１２等の火災感知器に火災発報させる制御命令を送信して、火災感知器が正常に火災を検知できるかを試験する機能である。また、「端末制御」機能は、火災受信機ＦＡから防排煙用中継器Ｄ１１に制御命令を送信して接続された被制御機器を作動させる機能である。なお、画面に表示されている「終了」スイッチを操作すれば、機能選択ウィンドウ２０の表示を終了させて、上位階層の画面に戻ることができる。
【００２５】
そして、作業者によりたとえば表示操作部２の１つの機能選択スイッチ２１Ａが選択さされたとき、データ抽出部４は選択された機能に関連する種別ＫＩに一致する端末機器を端末データベースＤＢから抽出する。このとき、データ抽出部４には、機能選択スイッチ２１Ａ〜２１Ｈに示すような火災受信機ＦＡの機能と、その機能に関連する端末機器の種別ＫＩとが関連づけて記憶されている。そしてデータ抽出部４は、所定の機能選択スイッチ２１Ａが選択されたとき、選択された機能に関連する種別ＫＩに一致する端末機器のアドレスＡＤ、種別ＫＩ、設置場所ＳＰを端末データベースＤＢから抽出するようになっている。そして、表示制御部５は、表示操作部２の表示を機能選択ウィンドウ２０から端末機器一覧ウィンドウ３０に切り替えて、データ抽出部４により抽出された端末機器のアドレスＡＤと種別ＫＩとを表記した端末機器制御スイッチ３１を表示操作部２に一覧表示する。
【００２６】
図５Ａおよび図５Ｂは表示操作部２に表示される端末機器一覧ウィンドウ３０の一例を示す模式図である。なお、図５Ａおよび図５Ｂにおいては、「系統−アドレス番号」という形式でアドレスＡＤに加えて系統も表記した場合について例示している。たとえば系統１のアドレス番号００１の端末機器には「０１−００１」の番号が表記されることになる。
【００２７】
図５Ａは、図４の機能選択ウィンドウ２０において、「火災試験」スイッチ２１Ａが選択されたときの端末機器一覧ウィンドウ３０を示している。図５Ａの端末機器一覧ウィンドウ３０には、所定の系統（たとえば初期設定の系統１）に接続された「火災試験」スイッチ２１Ａに関連のある端末機器の端末機器制御スイッチ３１が一覧表示される。ここで、表示制御部５は、データ抽出部４において抽出された複数の端末機器をアドレスＡＤ順に配列させて一覧表示する。通常、アドレスＡＤが近い番号である端末機器は近い場所に設置される傾向にあるため、アドレスＡＤ順に配列することにより、作業者は端末機器一覧ウィンドウ３０に基づいて近い場所に設置された端末機器を連続して操作することが可能になる。火災試験を行うときには、一覧表示された端末機器制御スイッチ３１の中から火災試験を行いたいアドレスＡＤの端末機器制御スイッチ３１を操作する。すると、火災受信機ＦＡは、操作されたアドレスＡＤの火災感知器に火災試験の制御命令を送信して、火災感知器に火災試験を行わせる。
【００２８】
端末機器一覧ウィンドウ３０の右側領域には系統を切り替えるための系統選択スイッチ３２が複数配置されている。そして、作業者が系統選択スイッチ３２を選択したとき、異なる系統に接続された複数の端末機器のうち、選択されている系統に対応した端末機器に関する端末機器制御スイッチ３１が一覧表示されることになる。また、端末機器一覧ウィンドウ３０の右下にはページをスクロールするための「次スイッチ」および「前スイッチ」が設けられており、次スイッチを選択すると、アドレスＡＤの番号が大きい端末機器制御スイッチ３１が一覧表示される。なお、ページのスクロールは、スクロールバー等の別の方法で行えるようにしても良い。
【００２９】
図２の表示制御部５は、この端末機器制御スイッチ３１を各端末機器の状態（ステータス）に応じて表示様態を変えて表示操作部２に表示させる機能を有している。具体的には、表示制御部５は、状態に応じて色分けして表示操作部２に表示させるものであって、たとえば作動・制御済である場合には黄色（図５Ａおよび図５Ｂにおいては、黄色を斜線模様で表現する）、遮断もしくは制御できない異常が発生している場合には青色（図５Ａおよび図５Ｂにおいては格子模様で表現する）に端末機器制御スイッチ３１を着色する。
【００３０】
図５Ａにおいて、色が付されていない端末機器制御スイッチ３１は正常に動作しているが火災試験が行われていない火災感知器のアドレスであることを示している。黄色が付されている「０１−００２熱アナログ感知器」は火災試験済の端末機器であることを示している。青色が付されている「０１−０１６」のアドレスＡＤの端末機器は制御することができない異常が発生していることを示している。
【００３１】
また、図５Ｂにおいては、黄色が付されている「０１−０５０−４たれ壁」は既に制御済の被制御装置であることを示している。一方、青色が付されている「０１−０５４−１」、「０１−０５４−２」、「０１−０５４−３」、「０１−０５４−４」のアドレスＡＤの端末機器は制御することができない異常が発生していることを示している。なお、異常が発生している端末機器が何も接続されていないアドレスＡＤが存在する場合、表示制御部５は当該アドレスＡＤの端末機器制御スイッチ３１を表示しなくてもよいし、「系統−アドレス番号」のみ表記あるいは全て空白の端末機器制御スイッチ３１を表示するようにしてもよい。また、当該アドレスＡＤの端末機器制御スイッチ３１を表示しない、あるいは空白の端末機器制御スイッチ３１を表示するかのどちらかに切り替えられるようにしても良い。
【００３２】
このように、一覧表示されている端末機器制御スイッチ３１を着色してステータス表示することにより、作業者は一目で複数の端末機器のステータスを把握することができるため、作業効率を向上させることができる。また、異常が発生している端末機器については、端末機器制御スイッチ３１の表示様態が異なるように表示することにより、異常が発生して制御できない端末機器に対し作業者がアクセスを試みることがなく異常が発生している旨および異常が発生している端末機器を特定することができるため、作業の効率性を向上させることができる。さらに、動作確認済の端末機器制御スイッチ３１と動作確認前の端末機器制御スイッチ３１とを異なる態様で表示させることにより、制御済の端末機器を容易に判別することができるため、間違えて何度も同じ端末を操作することを防止することができる。
なお、制御することができない異常が発生しているアドレスＡＤや制御済のアドレスＡＤの端末機器制御スイッチ３１を表示させる、表示させない設定ができるようにしてもよい。表示操作部２から、制御済のアドレスＡＤの端末機器制御スイッチ３１を表示させない設定がされたとき、表示制御部５は、データ抽出部４により抽出された端末機器のうち制御済の端末機器を除外した端末機器制御スイッチ３１を表示操作部２に一覧表示する。
【００３３】
なお、図５Ａおよび図５Ｂにおいて、表示制御部５はアドレスＡＤと種別ＫＩとを端末機器制御スイッチ３１上に表示させる場合について例示しているが、図６に示すように、設置場所ＳＰをアドレスＡＤおよび種別ＫＩとともに端末機器制御スイッチ３１上に表示してもよい。これにより、端末機器がどの場所に設置されているかアドレスＡＤのみの表示よりもわかりやすく、また、どの場所で異常等が発生しているかを瞬時に把握することができる。
【００３４】
次に、図１から図６を参照して火災受信機ＦＡの表示制御方法について説明する。まず、表示制御部５により複数の機能情報を機能選択スイッチ２１Ａ〜２１Ｈとして複数配列した機能選択ウィンドウ２０が表示操作部２に表示される（図４参照）。作業者が１つの機能選択スイッチ（たとえば火災試験スイッチ２１Ａ）を選択したとき、データ抽出部４において端末データベースＤＢの中から選択された機能に関連づけされた種別ＫＩに一致する端末機器（たとえば光電式アナログ感知器、熱アナログ感知器、アドレッサブル発信機等の火災に関連する端末機器）が端末データベースＤＢから抽出される。その後、表示制御部５により抽出した端末機器のアドレスＡＤと種別ＫＩとを表示した端末機器制御スイッチ３１が表示操作部２に一覧表示される（図５Ａ、図５Ｂ、図６参照）。特に、各端末機器制御スイッチ３１は状態（ステータス）に応じて色付けされた状態で表示される。
【００３５】
そして、作業者により特定の端末機器制御スイッチ３１が選択されたとき、該端末機器制御スイッチ３１のアドレスＡＤの端末機器に火災受信機ＦＡから制御命令が送信され、制御命令を受信した端末機器は作動する。
【００３６】
上記実施形態によれば、各機能選択スイッチ３１を選択するだけで制御可能な端末機器を一覧表示することにより、容易な操作で制御することができるため、メンテナンスや施工等を行う際の作業性を向上させることができる。また、アドレスＡＤ順に一覧表示されているため、作動させたい端末機器の正確なアドレスＡＤを作業者自体が把握していなくても、前後のアドレスＡＤと端末機器の種別ＫＩとが表示されるため、作動させたい端末機器を容易に見つけ出すことができ、操作性の向上を図ることができる。
【００３７】
本発明の実施形態は上記実施形態に限定されない。たとえば、図２において、表示部と操作部とが一体的に設けられた表示操作部（タッチパネル）２を用いた場合について例示しているが、表示部と操作部とが別々に設けられていてもよい。たとえば表示部が液晶パネル等からなり、操作部がマウス、マウスパッド、キーボード等からなるものであって、作業者が表示部の表示を見ながら操作部を操作し、各種スイッチを選択するものであってもよい。
【００３８】
また、上記実施の形態において、端末機器一覧ウィンドウ３０には信号線ＳＧに接続された端末機器を表示する場合について例示しているが、たとえば表示機１０やネットワークＮＷに接続された他の火災受信機ＦＡを端末機器として一覧表示するようにしてもよい。そして、作業者が特定の火災受信機ＦＡを選択したとき、火災受信機ＦＡの詳細な情報を表示するようにしてもよい。
【００３９】
さらに、図５Ａ、図５Ｂおよび図６において、表示の様態を変える一例として端末機器制御スイッチ３１のバックグランドの色を変える場合について例示しているが、端末機器制御スイッチ３１上に表示される文字の色を変える、もしくはスイッチに影を付ける等にしてもよいし点滅等の表示方法を変更するようにしてもよい。
【符号の説明】
【００４０】
１  動作制御部、２  表示操作部、３  記憶部、４  データ抽出部、５  表示制御部、６  ネットワーク接続部、７  送受信部、１０  表示機、２０  機能選択ウィンドウ、２１Ａ−２１Ｈ  機能選択スイッチ、３０  端末機器一覧ウィンドウ、３１  端末機器制御スイッチ、３２  系統切替スイッチ、４０  デバイスウィンドウ、ＡＤ  アドレス、Ｂ１１  地区ベル用中継器、Ｂ１１１−Ｂ１１４  地区ベル、Ｄ１１  防排煙制御用中継器、Ｄ１１１  防火戸、Ｄ１１２  排煙機、Ｄ１１３  シャッタ、Ｄ１１４  たれ壁、ＤＢ  端末データベース、ＦＡ  火災受信機、ＫＩ  種別、ＭＴ  機能テーブル、ＮＷ  ネットワーク、ＳＥ１１  光電式アナログ感知器、ＳＥ１２  熱アナログ感知器、ＳＥ１３  アドレッサブル発信機、ＳＧ  信号線、ＳＰ  設置場所。
【図１】
2014016678.tif 000003
【図２】
2014016678.tif 000004
【図３】
2014016678.tif 000005
【図４】
2014016678.tif 000006
【図５Ａ】
2014016678.tif 000007
【図５Ｂ】
2014016678.tif 000008
【図６】
2014016678.tif 000009